(57)【要約】【課題】庫内の温度帯を変更することが可能な構成でありながら、製造コストを安くし、また、庫内の収納容積が小さくなることを防止する。【解決手段】本実施形態の冷蔵庫は、冷蔵庫本体１１に設けられた冷気供給用のダクト２４と、ダクト２４から庫内に冷気が吹き出る開口部３７を開閉するものであって手動操作可能なように設けられた開閉部材４２とを備え、開閉部材４２を操作することにより、庫内の一部エリアの温度帯を変更可能なように構成されたものである。【選択図】図５
2020008191.tif 000002
【特許請求の範囲】
【請求項１】
冷蔵庫本体に設けられた冷気供給用のダクトと、
前記ダクトから庫内に冷気が吹き出る開口部を開閉するものであって手動操作可能なように設けられた開閉部材とを備え、
前記開閉部材を操作することにより、庫内の一部エリアの温度帯を変更可能なように構成された冷蔵庫。
【請求項２】
前記開閉部材が前記開口部を閉塞するように操作されたときに、前記開閉部材のうちの冷気が当たる部分に断熱材を張り付けるように構成された請求項１記載の冷蔵庫。
【請求項３】
複数の温度帯を切り替え可能に構成された切替貯蔵室を備え、
前記ダクトからの冷気は、前記切替貯蔵室内に流れ込むように構成された請求項１または２記載の冷蔵庫。
【請求項４】
前記切替貯蔵室は、庫内に出し入れ可能に設けられたケースで構成され、
前記ケースを庫内に収容したときに、前記ケースの後壁部が前記開閉部材に当たらないように構成された請求項３記載の冷蔵庫。
【請求項５】
前記開口部は複数設けられ、
１または複数の前記開閉部材によって前記複数の開口部のうちの一部または全部を開閉するように構成された請求項１から４のいずれか一項記載の冷蔵庫。
【発明の詳細な説明】
【技術分野】
【０００１】
本発明の実施形態は、冷蔵庫に関する。
【背景技術】
【０００２】
冷蔵庫の庫内に温度帯を例えばチルド帯またはパーチャル帯に切り替えることが可能な切替貯蔵室を設けた冷蔵庫が、提供されている（例えば特許文献１）。このような冷蔵庫では、切替貯蔵室に冷気を供給するダクトに、電動式のダンパー装置を設け、温度帯の設定スイッチ操作に応じてダンパー装置を駆動制御することにより、切替貯蔵室内への冷気の供給量を調整し、切替貯蔵室の温度帯を変更している。
【先行技術文献】
【特許文献】
【０００３】
【特許文献１】特開２００９−３０９３４公報
【発明の概要】
【発明が解決しようとする課題】
【０００４】
上記構成の冷蔵庫では、電動式のダンパー装置を配設しているので、製造コストが高くなるという問題があった。また、上記ダンパー装置の設置スペースを確保しなければならないので、庫内の収納容積が小さくなるという問題もあった。
【０００５】
そこで、庫内の温度帯を変更することが可能な構成でありながら、製造コストを安くすることができ、また、庫内の収納容積が小さくなることを防止できる冷蔵庫を提供する。
【課題を解決するための手段】
【０００６】
本実施形態の冷蔵庫は、冷蔵庫本体に設けられた冷気供給用のダクトと、前記ダクトから庫内に冷気が吹き出る開口部を開閉するものであって手動操作可能なように設けられた開閉部材とを備え、前記開閉部材を操作することにより、庫内の一部エリアの温度帯を変更可能なように構成されたものである。
【図面の簡単な説明】
【０００７】
【図１】第１実施形態による冷蔵庫の縦断側面図
【図２】冷蔵室の正面図
【図３】２個の開口部が開放された状態を示すパネルの正面図
【図４】１個の開口部が閉塞された状態を示すパネルの正面図
【図５】レバーが開口部を開放した状態を示す縦断面図
【図６】レバーが開口部を閉塞した状態を示す縦断面図
【図７】レバーが開口部を閉塞した状態を示す横断面図
【図８】容器を手前へ引き出した除隊を示す部分縦断側面図
【図９】容器の斜視図
【図１０】パネルの背面図
【図１１】第２実施形態による４個の開口部が開放された状態を示すパネルの正面図
【図１２】２個の開口部が閉塞された状態を示すパネルの正面図
【発明を実施するための形態】
【０００８】
（第１実施形態）
以下、第１実施形態による冷蔵庫を、図面を参照しながら説明する。図１は、本実施形態の冷蔵庫１０の概略構成を示す縦断側面図である。以下の説明において、冷蔵庫１０の図１中の左側を前側、前面側とし、その反対方向を後側、背面側、又は奥側とする。
【０００９】
図１に示すように、冷蔵庫１０は、外郭を形成する外箱５と貯蔵空間を形成する内箱６との間に例えば発泡断熱材７を充填した断熱箱体からなる冷蔵庫本体１１を備える。冷蔵庫本体１１の内部に形成される貯蔵空間は、仕切壁１２によって上方の冷凍室１３と下方の冷蔵室１４とに区画されている。
【００１０】
冷凍室１３の前面開口部は、図示しない例えばヒンジ式の冷凍室扉によって開閉可能に構成されている。冷蔵室１４の前面開口部は、図示しない例えばヒンジ式の冷蔵室扉によって開閉可能に構成されている。
【００１１】
冷凍室１３は、例えば−１８℃以下の冷凍温度に冷却される空間である。冷凍室１３内は、載置棚１５によって上下に区画されている。棚１５は、冷凍室１３の内側面に設けられた棚支持部１３ａにより取り外し可能に支持されている。棚支持部１３ａは、例えば２段分設けられている。冷凍室１３の背部には、冷却器１８を収納する冷却器室１９が設けられている。冷却器室１９の内部には、冷却器１８と送風ファン２０とが収納されている。
【００１２】
冷却器１８の冷却器カバー２１と、冷凍室１３の背面板２２の間に、冷凍ダクト２３が形成されている。冷凍ダクト２３は、冷蔵室１４の背面に設けられた冷蔵ダクト２５に接続されている。送風ファン２０により生成された空気、即ち、冷気は、冷凍ダクト２３から、冷蔵室１４の背面の冷蔵ダクト２５に流れ込むように構成されている。
【００１３】
冷却器室２０に設けられた冷却器１８は、冷蔵庫１０の下部の機械室２６内に設けられた圧縮機２７、及び、図示しない凝縮器やキャピラリーチューブ等と共に冷凍サイクルを構成している。圧縮機２７から吐出される冷媒が凝縮器及びキャピラリーチューブを介して冷却器１８に導入される。これにより、冷却器１８は冷却器室２０内の空気を冷却するように構成されている。
【００１４】
冷蔵室１４は、例えば、２〜６℃の冷蔵温度に冷却される空間であり、その内部には、複数例えば３段の棚２９が設けられている。棚２９は、冷蔵室１４の内側面に設けられた棚支持部３０により取り外し可能に支持されている。棚支持部３０は、例えば５段分設けられている。
【００１５】
冷蔵室１４内の上部には、冷蔵庫本体１１に対して前後方向に摺動可能に設けられた引き出し式のケース、即ち、容器３１が設けられている。容器３１は、庫内の一部エリア、または、複数の温度帯を切り替え可能に構成された切替貯蔵室を構成するものである。容器３１は、図８にも示すように、冷蔵室１４の内側面に設けられたガイドレール３２により前後方向に摺動可能に構成されている。
【００１６】
冷蔵室１４内の後面部の上部、即ち、容器３１の後方部位には、パネル３４が冷蔵ダクト２５の前壁部３３よりも前方へ突出するように配設されている。図２にも示すように、パネル３４には、冷気を吹き出す２個の開口部３６、３７が左右に並んで設けられている。冷蔵ダクト２５の前壁部３３には、冷気を吹き出す４個の細長い開口部３８〜４１が上下方向に設けられている。
【００１７】
パネル３４の背部には、図１に示すように、冷気流路２４が設けられており、この冷気流路２４は前記冷凍ダクト２３に連通しており、冷凍ダクト２３からの冷気が冷気流路２４に流れ込むように構成されている。冷気流路２４は、冷気供給用のダクトを構成している。そして、冷気流路２４から上記開口部３６、３７を介して冷気が吹き出される。
【００１８】
パネル３４の２個の開口部３６、３７から吹き出した冷気は、主として容器３１内に流れ込むようになっている。ここで、２個の開口部３６、３７のうちの例えば右の開口部３７は、図３及び図４に示すように、開閉部材である例えばレバー４２を上下方向にスライド操作することにより開閉可能に構成されている。尚、図４において、開口部３７の領域を斜線領域で示すことで、開口部３７の閉塞状態を図示している。
【００１９】
図３に示すように、２個の開口部３６、３７が共に開放された状態のときには、容器３１内の温度帯は、例えば−３℃程度、即ち、パーシャル帯になるように構成されている。また、図４に示すように、開口部３６が開放され、開口部３７が閉塞された状態のときには、容器３１内の温度帯は、例えば３℃程度、即ち、チルド帯になるように構成されている。
【００２０】
ここで、レバー４２のスライド構造について、図５ないし図７を参照して説明する。図５及び図６に示すように、レバー４２は、ほぼ平板状部材で構成され、パネル３４の裏面に当接して上下方向にスライド可能に設けられている。パネル３４の裏面には、レバー４２を下方へスライドさせたときにレバー４２の下端部が載置支持される支持部４３と、レバー４２を上方へスライドさせたときにレバー４２の上端部が当接される当接部４４とが設けられている。そして、図７に示すように、パネル３４の裏面には、レバー４２の左右の端部に嵌合してレバー４２を上下方向にスライド可能にガイドするガイド部４５、４５が設けられている。
【００２１】
レバー４２の下半部の前面部には、摘み４６が前方に突設されており、この摘み４６は、パネル３４に形成された摘み用の開口部４７を挿通して前方に突出している。レバー４２の上部には、開口部４８が形成されており、図５に示すように、レバー４２を下方へスライドさせたときに、レバー４２の開口部４８とパネル３４の開口部３７が連通するようになり、冷気流路２４内の冷気がレバー４２の開口部４８及びパネル３４の開口部３７を通って吹き出すように構成されている。つまり、摘み４６は、レバー４２、即ち、開閉部材を手動操作する際の操作部として機能している。
【００２２】
そして、ユーザがレバー４２の摘み４６を上方へスライド操作すると、図６に示すように、レバー４２がパネル３４の開口部３７を閉塞するように構成されている。これにより、冷気流路２４内の冷気がパネル３４の開口部３７から吹き出さない状態となる。この構成の場合、レバー４２の冷蔵ダクト２５内の冷気が当たる部分には、ソフトテープ６０が貼り付けられている。ソフトテープ６０は、断熱性を有しており、冷気が当たっても結露が防止されるように構成されている。
【００２３】
図５に示すように、ソフトテープ６０は、レバー４２の裏面における開口部４８の少し下方であって摘み４６よりも上方に位置して貼り付けられている。ソフトテープ６０の上下方向の寸法は、図６に示すように、パネル３４の開口部３７の上下方向の寸法よりも大きく、ソフトテープ６０の左右方向の寸法は、図７に示すように、パネル３４の開口部３７の左右方向の寸法よりも大きい。レバー４２がパネル３４の開口部３７を閉塞した状態では、図６に示すように、ソフトテープ６０は、冷気流路２４のうちのパネル３４の開口部３７に臨むように設けられた分岐流路２４ａの前端開口部をほぼ閉塞するように構成されている。
【００２４】
また、レバー４２は、図６に示すように、上方へスライド操作されたときに、図示しない係止機構により上方位置で停止するように構成されている。この場合、レバー４２は、上方位置にスライドされると、係止機構により左右または前後から挟みこんで固定される。そして、ユーザが挟みこんだ力以上でレバー４２を操作することで、スライド操作可能になり、ユーザが力を抜くと再度挟み込んで固定されるように構成されている。
【００２５】
また、ユーザがレバー４２の摘み４６を操作する際には、図８に示すように、容器３１を手前へ引き出しておく。尚、容器３１は、図９に示すように、上部及び前部が開口しており、後壁部３１ａには、冷気を流入させるための切欠き部３１ｂが形成されている。容器３１の両側壁部下部にリブ３１ｃが形成されており、このリブ３１ｃと冷蔵庫本体１１のガイドレール３２が嵌合することにより、容器３１は前後方向に摺動可能に構成されている。
【００２６】
容器３１は、図１に示すように、後方に押し込まれたときに、蓋４８が容器３１の前部開口を閉塞し、図８に示すように、手前へ引き出したときに、蓋４８が容器３１の前部開口を開放するように構成されている。また、容器３１は、後方に押し込まれた状態においては、リブ３１ｃに設けられた係止部とガイドレール３２に設けられた被係止部とが係止することにより、容器３１は、図１に示す位置で停止されるように構成されている。このとき、容器３１の後壁部３１ａがレバー４２の摘み４６を前方向から覆っている。更に、後壁部３１ａがレバー４２の摘み４６に当たらないように構成されている。
【００２７】
また、図８に示す位置まで容器３１を引き出すと、リブ３１ｃに設けられた係止部とガイドレール３２に設けられた被係止部とが係止することにより、容器３１は、図８に示す位置で停止されるように構成されている。
【００２８】
本実施形態においては、図１に示すように、容器３１の下面と最上部の棚２９との間の距離Ａは、棚２９間の距離（即ち、棚２９と、その下の棚支持部３０との間の距離）Ｂよりも大きくなるように構成されている。この構成においては、冷蔵室１４の前面開口部を開閉するヒンジ式の冷蔵室扉を開放させると、上記距離Ａが上記距離Ｂよりも大きいことから、冷蔵室１４の前面開口部の上下方向の上部部分が前方に開放され、ユーザは、この開放された部分から手を入れ易くなる。そして、冷蔵室扉を開放させた状態で、図８に示すように、容器３１を手前へ引き出すと、容器３１の下面と最上部の棚２９との間の距離Ａが大きいことから、パネル３４におけるレバー４２の摘み４６周辺が前方に開放される。これにより、ユーザは、冷蔵室１４の前面開口部の上部部分から手を入れ、更に、上記距離Ａの空間内に手を伸ばすことにより、レバー４２の摘み４６を容易にスライド操作することが可能な構成となっている。
【００２９】
また、図２及び図３に示すように、パネル３４における開口部３７の右斜め下部位には、冷蔵室１４内の温度を調節する温度調節ダイヤル４９が配設されている。尚、上記パネル３４の裏面部には、図１０に示すように、冷蔵室１４内への冷気の流入量を制御するダンパ装置５０、温度調節基板５１、５２、配線６１等が図示するように配設されている。温度調節ダイヤル４９の操作に応じて、温度調節基板５１、５２に実装された制御装置が動作して、ダンパ装置５０が駆動制御されることにより、庫内の温度が調節される。そして、ダンパ装置５０、温度調節基板５１、５２、配線６１等を避けるために、開口部３６、３７の配設位置は、図２、図３、図４、図１０等に示す位置に設定される構成となっている。
【００３０】
このような構成の本実施形態においては、冷蔵庫本体１１に設けられた冷気供給用の冷気流路２４を備え、この冷気流路２４から庫内に冷気が吹き出る開口部３７を開閉するものであって手動操作可能なように設けられたレバー４２を備え、レバー４２を操作することにより、庫内の一部エリア、即ち、容器３１の温度帯を変更可能なように構成した。この構成によれば、レバー４２の手動操作により、容器３１の温度帯を変更することが可能となり、レバー４２を手動で切り替え可能に設ける構成であるから、製造コストを安くすることができ、また、庫内の収納容積が小さくなることを防止できる。
【００３１】
また、本実施形態では、レバー４２が庫内に冷気を供給しない状態となるように操作されたときに、レバー４２の冷気が当たる部分にソフトテープ６０を張り付けるように構成したので、結露ひいては庫内が濡れてしまうことを防止できる。
【００３２】
本実施形態では、冷気流路２４から庫内に冷気が吹き出る開口部として２個の開口部３６、３７を設け、１個のレバー４２によって上記２個の開口部３６、３７のうちの１個の開口部３７を開閉するように構成した。この構成によれば、１個のレバー４２によって２個の開口部３６、３７のうちの１個の開口部３７を開閉するだけで、容器３１の温度帯を変更することができる。
【００３３】
本実施形態では、庫内に出し入れ可能に設けられた容器３１を庫内に収容したときに、容器３１の後壁部３１ａがレバー４２に当たらないように構成したので、レバー４２や容器３１等が破損することを防止できる。
【００３４】
（第２実施形態）
図１１及び図１２は、第２実施形態を示すものである。尚、第１実施形態と同一構成には同一符号を付している。この第２実施形態では、図１１に示すように、パネル３４に例えば４個の開口部３６、３７、５３、５４を設けた。そして、図１１及び図１２に示すように、右の上下２個の開口部３７、５４を、レバー５５によって、同時に開閉するように構成した。即ち、図１１は、レバー５５を下方へ操作して４個の開口部３６、３７、５３、５４を全て開放させた状態を示す。図１２は、レバー５５を上方へ操作して右の２個の開口部３７、５４を閉塞させた状態を示す。
【００３５】
尚、上述した以外の第２実施形態の構成は、第１実施形態の構成と同じ構成となっている。従って、第２実施形態においても、第１実施形態とほぼ同じ作用効果を得ることができる。
【００３６】
（その他の実施形態）
以上説明した複数の実施形態に加えて以下のような構成を加えても良い。
第１実施形態または第２実施形態では、パネル３４に２個または４個の開口部を設けたが、これに限られるものではなく、１個、３個、５個以上の開口部を設けるように構成しても良い。
【００３７】
第１実施形態では、２個の開口部３６、３７のうちの１個の開口部３７をレバー４２で開閉するように構成したが、これに代えて、２個の開口部を２個のレバーで各別に開閉するように構成しても良い。また、第２実施形態では、４個の開口部３６、３７、５３、５４のうちの２個の開口部３７、５４をレバー５５で開閉するように構成したが、これに代えて、２個の開口部３７、５４を２個のレバーで各別に開閉するように構成しても良い。また、４個の開口部のうちの１個の開口部をレバーで開閉するように構成しても良いし、４個の開口部のうちの３個または４個の開口部をレバーで同時に開閉または各別に開閉するように構成しても良い。また、５個以上の開口部を設けた場合も、１個または２個以上の開口部をレバーで開閉または同時に開閉または各別に開閉するように構成しても良い。
【００３８】
また、第１実施形態では、２個の開口部３６、３７から冷気をそのまま吹き出すように構成したが、これに限られるものではなく、開口部３６、３７からの冷気の吹き出し方向を制御するように構成しても良い。例えば、開口部３６、３７にルーバー部材を設け、２個の開口部３６、３７からの冷気が容器３１の切欠き部３１ｂに向かうように方向付ける、即ち、冷気が容器３１の左右方向中央及び上下方向上部に向かうように構成することが好ましい。この場合、ルーバー部材に傾斜を設け、その傾斜に沿って冷気が流れることで左右方向中央に向かうように構成しても良い。尚、ルーバー部材に代えて、冷気の吹き出し方向を制御する機能を有するひさし部を設けることも可能である。
【００３９】
また、上記各実施形態では、開閉部材として、レバー４２を用いたが、これに限られるものではなく、開閉板をリンク機構やワイヤを介して手動操作可能なように構成しても良い。また、断熱材として、ソフトテープ６０を用いたが、これに限られるものではなく、断熱性を有するシート等を両面粘着テープや接着剤等を介して接着するように構成しても良い。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
図面中、１０は冷蔵庫、１１は冷蔵庫本体、１２は仕切壁、１３は冷凍室、１４は冷蔵室、１８は冷却器、２３は冷凍ダクト、２４は冷気流路、２５は冷蔵ダクト、２６は機械室、２７は圧縮機、２９は棚、３０は棚支持部、３１は容器、３６、３７は開口部、３８、３９、４０、４１は開口部、４２はレバー、４６は摘み、４７は開口部、４８は蓋、５３、５４は開口部、５５はレバー、６０はソフトテープである。
【図１】
2020008191.tif 000003
【図２】
2020008191.tif 000004
【図３】
2020008191.tif 000005
【図４】
2020008191.tif 000006
【図５】
2020008191.tif 000007
【図６】
2020008191.tif 000008
【図７】
2020008191.tif 000009
【図８】
2020008191.tif 000010
【図９】
2020008191.tif 000011
【図１０】
2020008191.tif 000012
【図１１】
2020008191.tif 000013
【図１２】
2020008191.tif 000014